(57)【要約】      （修正有）【課題】スタンドの取り付け作業を簡略化することができる画像表示装置を提供する。【解決手段】画像表示装置は、画像を表示するためのパネル状の装置本体であって、底面に形成された凹部及び凹部に配置された第１の突部５２を有する装置本体と、第１の突部５２と係合される第２の突部９４を有し、装置本体を支持するスタンド８とを備える。第１の突部５２及び第２の突部９４の一方は、スタンド８が凹部に着脱自在に差し込まれた際に、第１の突部５２及び第２の突部９４の他方と弾性的に係合される。【選択図】図７
2019120709.tif 000002
【特許請求の範囲】
【請求項１】
画像を表示するためのパネル状の装置本体であって、底面に形成された凹部と、前記凹部に配置された第１の係合部と、を有する装置本体と、
前記第１の係合部と係合される第２の係合部を有し、前記装置本体を支持するスタンドと、を備え、
前記第１の係合部及び前記第２の係合部の一方は、前記スタンドが前記凹部に着脱自在に差し込まれた際に、前記第１の係合部及び前記第２の係合部の他方と弾性的に係合される
画像表示装置。
【請求項２】
前記スタンドは、
ベース部と、前記ベース部に立設され且つ前記凹部に着脱自在に差し込まれる支柱部と、を具備するスタンド本体と、
前記第２の係合部が形成され、前記スタンド本体を補強するための補強部材と、を有する
請求項１に記載の画像表示装置。
【請求項３】
前記補強部材は、
前記支柱部に沿って配置され、前記支柱部に固定された第１の補強部と、
前記第１の補強部の端部から延びる第２の補強部であって、前記ベース部に沿って配置され、前記ベース部に固定された第２の補強部と、を有する
請求項２に記載の画像表示装置。
【請求項４】
前記装置本体は、さらに、前記凹部に配置され、板バネが形成された取付部材を有し、
前記第１の係合部は、前記板バネに形成された第１の突部であり、
前記第２の係合部は、前記第１の突部と係合される第２の突部である
請求項２又は３に記載の画像表示装置。
【請求項５】
前記スタンドは、
ベース部と、前記ベース部に立設され且つ前記凹部に着脱自在に差し込まれる支柱部と、を具備するスタンド本体と、
前記スタンド本体の内部に配置された軸部に揺動自在に支持され、前記第２の係合部が形成されたレバー部材と、
前記レバー部材を付勢する付勢部材と、を有し、
前記レバー部材は、前記第２の係合部が前記第１の係合部と係合される係合位置と、前記第２の係合部が前記第１の係合部から離れる解除位置との間を前記軸部を中心に揺動し、
前記付勢部材は、前記レバー部材を前記係合位置に向けて付勢する
請求項１に記載の画像表示装置。
【請求項６】
前記装置本体は、さらに、前記凹部に配置された取付部材を有し、
前記第１の係合部は、前記取付部材に形成された孔部であり、
前記第２の係合部は、前記孔部と係合される突部である
請求項５に記載の画像表示装置。
【発明の詳細な説明】
【技術分野】
【０００１】
本開示は、スタンドを備えた画像表示装置に関する。
【背景技術】
【０００２】
特許文献１は、設置面に載置されるスタンド型の画像表示装置を開示する。この種の画像表示装置は、前面に表示面を有するパネル状の装置本体と、装置本体を下方から支持するスタンドとを備えている。スタンドは、設置面に載置されるベース部と、ベース部に立設された支柱部とを有している。支柱部は、装置本体の背面に複数のネジで固定されている。
【先行技術文献】
【特許文献】
【０００３】
【特許文献１】特開２００７−１５６１７６号公報
【発明の概要】
【発明が解決しようとする課題】
【０００４】
本開示は、スタンドの取り付け作業を簡略化することができる画像表示装置を提供する。
【課題を解決するための手段】
【０００５】
本開示における画像表示装置は、画像を表示するためのパネル状の装置本体であって、底面に形成された凹部と、凹部に配置された第１の係合部と、を有する装置本体と、第１の係合部と係合される第２の係合部を有し、装置本体を支持するスタンドと、を備え、第１の係合部及び第２の係合部の一方は、スタンドが凹部に着脱自在に差し込まれた際に、第１の係合部及び第２の係合部の他方と弾性的に係合される。
【発明の効果】
【０００６】
本開示における画像表示装置によれば、スタンドの取り付け作業を簡略化することができる。
【図面の簡単な説明】
【０００７】
【図１】実施の形態１に係る画像表示装置の背面側を示す斜視図である。
【図２】図１のＩＩ−ＩＩ線による、実施の形態１に係る画像表示装置の概略要部断面図である。
【図３】実施の形態１に係るスタンド及び取付部材を抜き出して示す斜視図である。
【図４】図３とは異なる角度から見た状態での、実施の形態１に係るスタンド及び取付部材を抜き出して示す斜視図である。
【図５】実施の形態１に係るスタンドを抜き出して示す斜視図である。
【図６】図５とは異なる角度から見た状態での、実施の形態１に係るスタンドを抜き出して示す斜視図である。
【図７】図２のＶＩＩ−ＶＩＩ線による、実施の形態１に係るスタンド及び取付部材の断面斜視図である。
【図８】比較例に係る画像表示装置の背面側を示す斜視図である。
【図９】比較例に係るスタンド及び取付部材を抜き出して示す斜視図である。
【図１０】実施の形態２に係るスタンド及び取付部材を抜き出して示す斜視図である。
【図１１】実施の形態２に係るスタンドを抜き出して示す斜視図である。
【図１２】図１１とは異なる角度から見た状態での、実施の形態２に係るスタンドを抜き出して示す斜視図である。
【図１３】図１０のＸＩＩＩ−ＸＩＩＩ線による、実施の形態２に係るスタンド及び取付部材の断面図である。
【図１４】レバー部材を操作した状態での、実施の形態２に係るスタンド及び取付部材の断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面及び以下の説明を提供するのであって、これらによって特許請求の範囲に記載の主題を限定することを意図するものではない。
【００１０】
（実施の形態１）
以下、図１〜図７を参照しながら、実施の形態１について説明する。
【００１１】
［１−１．画像表示装置の全体構成］
まず、図１及び図２を参照しながら、実施の形態１に係る画像表示装置２の全体構成について説明する。図１は、実施の形態１に係る画像表示装置２の背面側を示す斜視図である。図２は、図１のＩＩ−ＩＩ線による、実施の形態１に係る画像表示装置２の概略要部断面図である。
【００１２】
図１及び図２に示すように、画像表示装置２は、例えば設置面４に載置されるスタンド型の液晶テレビジョン受像機である。画像表示装置２は、装置本体６と、複数（例えば２個）のスタンド８とを備えている。
【００１３】
装置本体６は、画像を表示するためのものであり、ＸＹ平面視で矩形状のパネル状に形成されている。装置本体６は、表示ユニット１０と、ベゼル１２と、ベースプレート１４と、バックカバー１６とを有している。
【００１４】
表示ユニット１０は、表示パネル１８と、バックライト２０とを有している。表示パネル１８は、複数のガラス板の間に液晶が封入された、いわゆる液晶セルである。表示パネル１８の前面には、画像を表示するための表示面２２が形成されている。バックライト２０は、例えばエッジライト型のバックライトであり、表示パネル１８の背面（表示面２２と反対側の面）に向けて光を照射する。なお、バックライト２０は、エッジライト型のバックライトに限定されず、例えば直下型のバックライト等であってもよい。
【００１５】
ベゼル１２は、表示パネル１８の外周部を保護するための枠体であり、ＸＹ平面視で矩形状に形成されている。ベゼル１２は、例えばポリカーボネート等の樹脂又はアルミニウム等の金属で形成されている。
【００１６】
ベースプレート１４は、表示ユニット１０等を支持するための部材であり、下フレームとも称される。ベースプレート１４は、薄い板金で形成され、ＸＹ平面視で矩形状に形成されている。ベースプレート１４の前面には表示ユニット１０が支持され、ベースプレート１４の背面には配線基板等（図示せず）が支持されている。
【００１７】
バックカバー１６は、ベースプレート１４の背面を覆うようにして配置されている。バックカバー１６は、例えばポリカーボネート等の樹脂で形成されている。
【００１８】
図１及び図２に示すように、上述のようにして構成された装置本体６の底面２４には、複数（例えば２個）の凹部２６が形成されている。複数の凹部２６は、装置本体６の底面２４の長手方向（Ｘ軸方向）に沿って間隔を置いて配置されている。なお、装置本体６の底面２４は、装置本体６の下端部に形成された、設置面４に対向する面である。
【００１９】
複数のスタンド８の各々は、装置本体６を下方から支持するためのものであり、設置面４に載置される。複数のスタンド８の各々は、同一の構成を有している。図２に示すように、複数のスタンド８はそれぞれ、装置本体６の複数の凹部２６に着脱自在に差し込まれている。装置本体６の複数の凹部２６の各々には、取付部材２８が配置されている。スタンド８を装置本体６の凹部２６に差し込むことにより、スタンド８が取付部材２８と係合される。なお、複数の取付部材２８の各々は同一の形状を有していてもよく、あるいは、装置本体６の左側（表示面２２に向かって左側）に配置される取付部材２８と、装置本体６の右側（表示面２２に向かって右側）に配置される取付部材２８とが互いに左右対称の形状を有していてもよい。スタンド８及び取付部材２８の各構成については、後で詳述する。
【００２０】
［１−２．取付部材の構成］
次に、図２〜図４を参照しながら、取付部材２８の構成について詳細に説明する。図３は、実施の形態１に係るスタンド８及び取付部材２８を抜き出して示す斜視図である。図４は、図３とは異なる角度から見た状態での、実施の形態１に係るスタンド８及び取付部材２８を抜き出して示す斜視図である。
【００２１】
図３及び図４に示すように、取付部材２８は、略角筒状に形成されている。すなわち、取付部材２８は、本体部２９と、本体部２９の上端部から略垂直に折り曲げられた折り曲げ部３０と、本体部２９の左右の両側辺からそれぞれ略垂直に折り曲げられた折り曲げ部３２及び３４と、折り曲げ部３２から略垂直に折り曲げられた折り曲げ部３５とを有している。本体部２９及び折り曲げ部３５は互いに対向して配置され、折り曲げ部３２及び３４は互いに対向して配置されている。なお、取付部材２８は、例えば鋼板等の板金をプレス加工することによって上述した形状に成形される。
【００２２】
折り曲げ部３０には、当該折り曲げ部３０からさらに略垂直に折り曲げられた取付片３６が形成されている。折り曲げ部３２には、当該折り曲げ部３２からさらに略垂直に折り曲げられた取付片３８が形成されている。また、折り曲げ部３４には、当該折り曲げ部３４からさらに略垂直に折り曲げられた取付片４０が形成されている。
【００２３】
取付片３６には、ネジ４２を挿通するための貫通孔４４が形成されている。取付片３８には、ネジ（図示せず）を挿通するための貫通孔４６が複数形成されている。また、取付片４０には、ネジ（図示せず）を挿通するための貫通孔４８が複数形成されている。
【００２４】
図２に示すように、ネジ４２が取付片３６の貫通孔４４を通してベースプレート１４の背面に捻じ込まれている。また、図示しないが、ネジが取付片３８の貫通孔４６を通してベースプレート１４の背面に捻じ込まれているとともに、ネジが取付片４０の貫通孔４８を通してベースプレート１４の背面に捻じ込まれている。これにより、取付部材２８は、装置本体６の凹部２６に配置された状態で、ベースプレート１４の背面に取り付けられている。なお、取付部材２８は、バックカバー１６により覆われているため、画像表示装置２の外部からは視認されない。
【００２５】
図３及び図４に示すように、折り曲げ部３２には、板バネ５０が形成されている。板バネ５０は、鉛直方向（Ｙ軸方向）に長尺状に延びている。板バネ５０の下端部は折り曲げ部３２に接続され、板バネ５０の上端部は自由端となっている。板バネ５０の上端部には、取付部材２８の内部に向けて突出する第１の突部５２（第１の係合部の一例）が形成されている。
【００２６】
図２及び図３に示すように、折り曲げ部３０には、ガタツキを抑制するための貫通孔５４が形成されている。また、図３及び図４に示すように、取付部材２８の下端部における折り曲げ部３２及び３４にはそれぞれ、ガタツキを抑制するための切り欠き部５６及び５８が形成されている。
【００２７】
［１−３．スタンドの構成］
次に、図２、図５及び図６を参照しながら、スタンド８の構成について詳細に説明する。図５は、実施の形態１に係るスタンド８を抜き出して示す斜視図である。図６は、図５とは異なる角度から見た状態での、実施の形態１に係るスタンド８を抜き出して示す斜視図である。
【００２８】
図２、図５及び図６に示すように、スタンド８は、スタンド本体６０と、補強部材６２とを有している。
【００２９】
図２、図５及び図６に示すように、スタンド本体６０は、ベース部６４と、支柱部６６とを有している。なお、スタンド本体６０は、例えばアルミダイキャストにより一体的に成形されている。ベース部６４は、二股状（逆Ｖ字状）に形成されている。なお、ベース部６４の形状は、二股状に限定されず、例えば逆Ｔ字状等であってもよい。ベース部６４の上端部には、凹状に窪んだ固定部６８が形成されている。固定部６８には、ネジ７０を捻じ込むためのネジ孔７２が形成されている。支柱部６６は、ベース部６４の上端部に立設され、鉛直方向（Ｙ軸方向）に直線状に延びている。図２に示すように、支柱部６６の側面７４には、ネジ７６を捻じ込むためのネジ孔７８が複数形成されている。支柱部６６の上端部には、ガタツキを抑制するための突起８０が形成されている。
【００３０】
補強部材６２は、スタンド本体６０を補強するための部材であり、例えば鉄等の金属で形成されている。図２に示すように、補強部材６２は、ＹＺ平面視で略Ｌ字状に形成されている。すなわち、補強部材６２は、第１の補強部８２と、第２の補強部８４とを有している。
【００３１】
図２及び図６に示すように、第１の補強部８２は、本体部８６と、本体部８６の左右の両側辺からそれぞれ略垂直に折り曲げられた折り曲げ部８８及び９０とを有している。本体部８６は、スタンド本体６０の支柱部６６の側面７４に沿って配置されている。本体部８６には、ネジ７６を挿通するための貫通孔９２が複数形成されている。ネジ７６が本体部８６の貫通孔９２を通して支柱部６６のネジ孔７８に捻じ込まれることにより、第１の補強部８２は支柱部６６の側面７４に固定されている。図６に示すように、本体部８６の上端部における側辺には、外側に向けて突出する第２の突部９４（第２の係合部の一例）が形成されている。図５に示すように、折り曲げ部８８及び９０にはそれぞれ、ガタツキを抑制するための突起９６及び９８が形成されている。
【００３２】
図２及び図６に示すように、第２の補強部８４は、第１の補強部８２の本体部８６の下端部から略垂直に延びている。第２の補強部８４は、ベース部６４の固定部６８に沿って配置されている。第２の補強部８４には、ネジ７０を挿通するための貫通孔１００が形成されている。ネジ７０が第２の補強部８４の貫通孔１００を通してベース部６４の固定部６８のネジ孔７２に捻じ込まれることにより、第２の補強部８４はベース部６４の固定部６８に固定されている。
【００３３】
このようにスタンド本体６０が補強部材６２により補強されているので、例えばスタンド本体６０に大きな外力が加わることにより支柱部６６の根元が折れた場合であっても、ベース部６４と支柱部６６とを補強部材６２を介して相互に連結することができる。その結果、装置本体６を複数のスタンド８により支持し続けることができ、装置本体６の転倒等を抑制することができる。
【００３４】
［１−４．スタンドの取り付け手順］
次に、図２、図３及び図７を参照しながら、スタンド８の取り付け手順について説明する。図７は、図２のＶＩＩ−ＶＩＩ線による、実施の形態１に係るスタンド８及び取付部材２８の断面斜視図である。
【００３５】
例えば、ユーザが画像表示装置２を購入した際には、画像表示装置２は、複数のスタンド８が装置本体６から取り外された状態で梱包されている。そのため、ユーザは、画像表示装置２を設置面４に設置する際には、以下の手順で複数のスタンド８を装置本体６に取り付ける。
【００３６】
まず、図２に示すように、ユーザは、補強部材６２の第１の補強部８２が表示パネル１８側（Ｚ軸のプラス側）を向くようにして、図２中の矢印Ｓで示す方向に、スタンド８の支柱部６６を装置本体６の凹部２６に差し込む。これにより、スタンド８の支柱部６６は、取付部材２８の本体部２９と折り曲げ部３５との間に差し込まれる。この時、補強部材６２の第１の補強部８２は、取付部材２８の折り曲げ部３５と対向して配置される。
【００３７】
支柱部６６を差し込む途中の状態では、図７に示すように、スタンド８の第２の突部９４は、取付部材２８の板バネ５０を図７中の矢印Ｐで示す方向に弾性変形させながら、第１の突部５２を乗り越えようとする。支柱部６６を奥まで差し込んだ状態では、第２の突部９４は第１の突部５２を完全に乗り越え、板バネ５０は、図７中の矢印Ｑで示す方向に付勢力で復帰する。これにより、第１の突部５２は、板バネ５０の付勢力を利用して第２の突部９４と弾性的に係合され、スタンド８が取付部材２８に取り付けられる。
【００３８】
この状態では、図３に示すように、スタンド８の突起８０が取付部材２８の貫通孔５４に挿通されるとともに、スタンド８の突起９６及び９８がそれぞれ取付部材２８の切り欠き部５６及び５８に係合される。これにより、スタンド８の取付部材２８に対するガタツキを抑制することができる。なお、支柱部６６の上端のうち突起８０の左右両側の両肩部分が折り曲げ部３０の下面と接触することにより、装置本体６の重量がスタンド８によって支持される。
【００３９】
なお、スタンド８を装置本体６から取り外す際には、ユーザは、図２中の矢印Ｔで示す方向に、スタンド８の支柱部６６を装置本体６の凹部２６から引き抜けばよい。この時、スタンド８の第２の突部９４は、取付部材２８の板バネ５０を図７中の矢印Ｐで示す方向に弾性変形させながら、第１の突部５２を乗り越える。これにより、第１の突部５２と第２の突部９４との係合が解除されるので、スタンド８を装置本体６から取り外すことができる。
【００４０】
［１−５．効果］
次に、比較例に係る画像表示装置２００と対比しながら、実施の形態１に係る画像表示装置２により得られる効果について説明する。図８は、比較例に係る画像表示装置２００の背面側を示す斜視図である。図９は、比較例に係るスタンド２０４及び取付部材２０６を抜き出して示す斜視図である。
【００４１】
図８に示すように、比較例に係る画像表示装置２００は、装置本体２０２と、複数のスタンド２０４とを備えている。装置本体２０２のベースプレート（図示せず）には、図９に示す取付部材２０６が複数のネジ（図示せず）で取り付けられている。
【００４２】
図９に示すように、スタンド２０４は、ベース部２０８と、支柱部２１０とを有している。ベース部２０８は、二股状に形成されている。支柱部２１０は、ＹＺ平面視で略Ｌ字状に形成されている。すなわち、支柱部２１０は、第１の取付部２１２と、第１の取付部２１２の下端部から略垂直に延びる第２の取付部２１４とを有している。第１の取付部２１２は、複数のネジ２１６で取付部材２０６に取り付けられている。第２の取付部２１４は、複数のネジ２１８でベース部２０８の上端部に取り付けられている。図８に示すように、第２の取付部２１４は、装置本体２０２のバックカバー２２０を貫通して後方（Ｚ軸のマイナス方向）に突出しており、装飾用のカバー部材２２２により覆われている。なお、説明の都合上、図９では、カバー部材２２２の図示を省略してある。
【００４３】
しかしながら、比較例に係る画像表示装置２００では、次のような課題が生じる。第１に、ユーザは、スタンド２０４を取付部材２０６に取り付ける際には、複数のネジ２１６でスタンド２０４の第１の取付部２１２を取付部材２０６に取り付ける必要がある。そのため、スタンド２０４の取り付け作業に手間がかかるという課題が生じる。
【００４４】
第２に、図８に示すように、バックカバー２２０には、ネジ２１６を締め付けるためのドライバ等の工具を外部から挿通するための貫通孔２２４を形成する必要があるため、画像表示装置２００のデザイン性が損なわれるという課題が生じる。
【００４５】
第３に、図８に示すように、スタンド２０４の第２の取付部２１４に形成された複数のネジ２１８の配置スペースの分だけ、第２の取付部２１４がバックカバー２２０を貫通して後方に突出するため、画像表示装置２００のデザイン性が損なわれるという課題が生じる。
【００４６】
上述した課題を解決するために、本実施の形態では、画像表示装置２は、画像を表示するためのパネル状の装置本体６であって、底面２４に形成された凹部２６及び凹部２６に配置された第１の突部５２（第１の係合部）を有する装置本体６と、第１の突部５２と係合される第２の突部９４（第２の係合部）を有し、装置本体６を支持するスタンド８とを備える。第１の突部５２及び第２の突部９４の一方は、スタンド８が凹部２６に着脱自在に差し込まれた際に、第１の突部５２及び第２の突部９４の他方と弾性的に係合される。
【００４７】
これにより、ユーザは、スタンド８を取付部材２８に取り付ける際には、スタンド８を凹部２６に差し込むだけでよいので、スタンド８を取り付ける作業を簡略化することができる。また、スタンド８を取り付けるためのネジが不要となるので、図２に示すように、ドライバ等の工具を挿通するための貫通孔をバックカバー１６に形成する必要が無く、画像表示装置２のデザイン性を高めることができる。
【００４８】
また、本実施の形態において、スタンド８は、ベース部６４及びベース部６４に立設され且つ凹部２６に着脱自在に差し込まれる支柱部６６を具備するスタンド本体６０と、第２の突部９４（第２の係合部）が形成され、スタンド本体６０を補強するための補強部材６２と、を有する。
【００４９】
これにより、スタンド本体６０が補強部材６２により補強されているので、スタンド本体６０を剛性の低い材料で形成した場合であっても、スタンド８全体の剛性を高めることができる。なお、例えばスタンド本体６０をアルミダイキャストにより一体的に成形した場合には、上述した図９に示す複数のネジ２１８の配置スペースが不要となる。そのため、スタンド本体６０がバックカバー１６の後方に突出するのを抑制することができ、画像表示装置２のデザイン性を高めることができる。
【００５０】
また、本実施の形態において、補強部材６２は、支柱部６６に沿って配置され、支柱部６６に固定された第１の補強部８２と、第１の補強部８２の端部から延びる第２の補強部８４であって、ベース部６４に沿って配置され、ベース部６４に固定された第２の補強部８４と、を有する。
【００５１】
これにより、スタンド本体６０が補強部材６２により補強されているので、例えばスタンド本体６０に大きな外力が加わることにより支柱部６６の根元が折れた場合であっても、ベース部６４と支柱部６６とを補強部材６２を介して相互に連結することができる。その結果、装置本体６を複数のスタンド８により支持し続けることができ、装置本体６の転倒等を抑制することができる。
【００５２】
また、本実施の形態において、装置本体６は、さらに、凹部２６に配置され、板バネ５０が形成された取付部材２８を有している。第１の係合部は、板バネ５０に形成された第１の突部５２であり、第２の係合部は、第１の突部５２と係合される第２の突部９４である。
【００５３】
これにより、スタンド本体６０の支柱部６６を凹部２６に差し込んだ際に、板バネ５０の付勢力を利用して、第１の突部５２を第２の突部９４に係合させることができる。
【００５４】
（実施の形態２）
［２−１．取付部材の構成］
次に、図１０を参照しながら、実施の形態２に係る取付部材２８Ａについて説明する。図１０は、実施の形態２に係るスタンド８Ａ及び取付部材２８Ａを抜き出して示す斜視図である。なお、本実施の形態では、上記実施の形態１と同一の構成要素には同一の符号を付して、その説明を省略する。
【００５５】
図１０に示すように、本実施の形態では、上記実施の形態１と同様に、取付部材２８Ａは、本体部２９Ａと、本体部２９Ａの上端部から略垂直に折り曲げられた折り曲げ部３０Ａと、本体部２９Ａの左右の両側辺からそれぞれ略垂直に折り曲げられた折り曲げ部３２Ａ及び３４Ａとを有している。折り曲げ部３２Ａ及び折り曲げ部３４Ａは、互いに対向して配置されている。
【００５６】
折り曲げ部３０Ａには、当該折り曲げ部３０Ａからさらに略垂直に折り曲げられた取付片３６Ａが形成されている。折り曲げ部３２Ａには、当該折り曲げ部３２Ａからさらに略垂直に折り曲げられた取付片３８Ａが形成されている。また、折り曲げ部３４Ａには、当該折り曲げ部３４Ａからさらに略垂直に折り曲げられた取付片４０Ａが形成されている。
【００５７】
本体部２９Ａには、孔部１０２（第１の係合部の一例）が形成されている。なお、本体部２９Ａには、孔部１０２に代えて、凹状に窪んだ凹部を形成してもよい。折り曲げ部３０Ａには、ガタツキを抑制するための貫通孔５４Ａが形成されている。また、折り曲げ部３４Ａには、ガタツキを抑制するための板バネ１０４が形成されている。
【００５８】
［２−２．スタンドの構成］
次に、図１１〜図１３を参照しながら、スタンド８Ａの構成について詳細に説明する。図１１は、実施の形態２に係るスタンド８Ａを抜き出して示す斜視図である。図１２は、図１１とは異なる角度から見た状態での、実施の形態２に係るスタンド８Ａを抜き出して示す斜視図である。図１３は、図１０のＸＩＩＩ−ＸＩＩＩ線による、実施の形態２に係るスタンド８Ａ及び取付部材２８Ａの断面図である。
【００５９】
図１１〜図１３に示すように、スタンド８Ａは、スタンド本体６０Ａと、レバー部材１０６と、付勢部材１０８とを有している。
【００６０】
スタンド本体６０Ａは、ベース部６４Ａと、支柱部６６Ａとを有している。なお、スタンド本体６０Ａは、例えばアルミニウムの削り出し加工又は鋳造等により一体的に成形されている。図１２及び図１３に示すように、ベース部６４Ａの上端部の裏面には、開口部１１０が形成されている。支柱部６６Ａは、一側面が開口された略角筒状に形成されている。すなわち、支柱部６６Ａは、側壁部１１２と、側壁部１１２の左右の両側辺からそれぞれ略垂直に延びる側壁部１１４及び１１６とを有している。側壁部１１４及び１１６は、互いに対向して配置されている。側壁部１１２，１１４及び１１６で囲まれた空間は、ベース部６４Ａの開口部１１０と連通している。側壁部１１２の上端部には、ガタツキを抑制するための突起８０Ａが形成されている。また、側壁部１１４の側面には、ガタツキを抑制するための突起１１８が形成されている。
【００６１】
図１１〜図１３に示すように、レバー部材１０６は、スタンド本体６０Ａの支柱部６６Ａの内部、すなわち側壁部１１２，１１４及び１１６で囲まれた空間に配置されている。レバー部材１０６は、支柱部６６Ａの軸方向（Ｙ軸方向）に沿って長尺状に延びている。レバー部材１０６の長手方向における中間部は、支柱部６６Ａの側壁部１１４及び１１６の間に架け渡された軸部１２０に揺動自在に支持されている。これにより、レバー部材１０６は、係合位置（図１３に示す位置）と解除位置（後述する図１４に示す位置）との間を、軸部１２０を中心に揺動することができる。レバー部材１０６の下端部１０６ａは、ベース部６４Ａの開口部１１０から外部に露出されている。レバー部材１０６の上端部１０６ｂには、側壁部１１２と反対側に向けて突出する突部１２２（第２の係合部の一例）が形成されている。
【００６２】
図１３に示すように、付勢部材１０８は、レバー部材１０６を係合位置に向けて付勢するためのものであり、例えばコイルバネで構成されている。付勢部材１０８は、スタンド本体６０Ａの支柱部６６Ａの内部、すなわち側壁部１１２とレバー部材１０６の上端部１０６ｂとの間に配置されている。これにより、付勢部材１０８は、レバー部材１０６の上端部１０６ｂを、側壁部１１２から離れる方向に付勢する。
【００６３】
［２−３．スタンドの取り付け手順］
次に、図１３及び図１４を参照しながら、スタンド８Ａの取り付け手順について説明する。図１４は、レバー部材１０６を操作した状態での、実施の形態２に係るスタンド８Ａ及び取付部材２８Ａの断面図である。
【００６４】
まず、図１３に示すように、ユーザは、支柱部６６Ａの側壁部１１２が表示パネル１８側（図２参照）（Ｚ軸のプラス側）を向くようにして、図１３中の矢印Ｕで示す方向に、スタンド８Ａの支柱部６６Ａを装置本体６（図２参照）の凹部２６に差し込む。これにより、スタンド８Ａの支柱部６６Ａは、取付部材２８Ａの内部、すなわち、本体部２９Ａ、折り曲げ部３２Ａ及び３４Ａで囲まれた空間に差し込まれる。
【００６５】
支柱部６６を奥まで差し込むことにより、支柱部６６Ａの側壁部１１４及び１１６がそれぞれ、取付部材２８Ａの折り曲げ部３４Ａ及び３２Ａに対向して配置され、レバー部材１０６が取付部材２８Ａの本体部２９Ａに対向して配置される。これにより、レバー部材１０６の突部１２２は、付勢部材１０８の付勢力を利用して取付部材２８Ａの孔部１０２と弾性的に係合され、スタンド８Ａが取付部材２８Ａに取り付けられる。この時、レバー部材１０６は、突部１２２が孔部１０２と係合される係合位置に位置される。また、付勢部材１０８は、レバー部材１０６を係合位置に向けて付勢している。
【００６６】
この状態では、スタンド８Ａの突起８０Ａが取付部材２８Ａの貫通孔５４Ａに挿通されるとともに、取付部材２８Ａの板バネ１０４がスタンド８Ａの突起１１８と係合する。これにより、スタンド８Ａの取付部材２８Ａに対するガタツキを抑制することができる。なお、支柱部６６Ａの上端のうち突起８０Ａの左右両側の両肩部分が折り曲げ部３０Ａの下面と接触することにより、装置本体６の重量がスタンド８Ａによって支持される。
【００６７】
図１４に示すように、スタンド８Ａを装置本体６から取り外す際には、ユーザは、図１４中の矢印Ｗで示す方向に、レバー部材１０６の下端部１０６ａを指等で操作する。これにより、レバー部材１０６は、付勢部材１０８の付勢力に抗して軸部１２０を中心に揺動するので、突部１２２が孔部１０２から外れて、突部１２２と孔部１０２との係合が解除される。この時、レバー部材１０６は、突部１２２が孔部１０２から離れる解除位置に位置される。この状態で、ユーザは、図１４中の矢印Ｖで示す方向に、スタンド８Ａの支柱部６６Ａを装置本体６の凹部２６から引き抜くことにより、スタンド８Ａを装置本体６から取り外すことができる。なお、レバー部材１０６は、付勢部材１０８の付勢力により、解除位置から係合位置に復帰する。
【００６８】
［２−４．効果］
上述したように、本実施の形態では、スタンド８Ａは、ベース部６４Ａと、ベース部６４Ａに立設され且つ凹部２６に着脱自在に差し込まれる支柱部６６Ａと、を具備するスタンド本体６０Ａと、スタンド本体６０Ａの内部に配置された軸部１２０に揺動自在に支持され、突部１２２（第２の係合部）が形成されたレバー部材１０６と、レバー部材１０６を付勢する付勢部材１０８とを有する。レバー部材１０６は、突部１２２が孔部１０２（第１の係合部）と係合される係合位置と、突部１２２が孔部１０２から離れる解除位置との間を軸部１２０を中心に揺動する。付勢部材１０８は、レバー部材１０６を係合位置に向けて付勢する。
【００６９】
これにより、ユーザは、レバー部材１０６を操作することにより、スタンド８Ａを装置本体６から容易に取り外すことができる。また、付勢部材１０８はレバー部材１０６を係合位置に向けて付勢するので、ユーザが誤ってスタンド８Ａに凹部２６から引き抜く方向の外力を加えた場合であっても、スタンド８Ａが装置本体６から不意に外れるのを抑制することができる。
【００７０】
また、本実施の形態において、装置本体６は、さらに、凹部２６に配置された取付部材２８Ａを有する。第１の係合部は、取付部材２８Ａに形成された孔部１０２であり、第２の係合部は、孔部１０２と係合される突部１２２である。
【００７１】
これにより、レバー部材１０６が係合位置に位置した際に、突部１２２を孔部１０２に確実に係合させることができる。
【００７２】
（変形例等）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記各実施の形態で説明した各構成要素を組み合わせて、新たな実施の形態とすることも可能である。
【００７３】
そこで、以下、他の実施の形態を例示する。
【００７４】
上記各実施の形態では、画像表示装置２を液晶テレビジョン受像機で構成したが、これに限定されず、例えばパーソナルコンピュータ用の液晶モニタ等で構成してもよい。
【００７５】
上記各実施の形態では、装置本体６に複数のスタンド８（８Ａ）を取り付けたが、これに限定されず、１つのスタンド８（８Ａ）のみを取り付けてもよい。
【００７６】
また、上記実施の形態１では、第１の係合部及び第２の係合部をそれぞれ第１の突部５２及び第２の突部９４としたが、これに限定されず、例えば第１の係合部及び第２の係合部の一方を突部とし、第１の係合部及び第２の係合部の他方を凹部（又は孔部）としてもよい。
【００７７】
また、上記実施の形態２では、第１の係合部及び第２の係合部をそれぞれ孔部１０２及び突部１２２としたが、これとは反対に、第１の係合部及び第２の係合部をそれぞれ突部及び孔部としてもよい。
【００７８】
以上のように、本開示における技術の例示として、実施の形態を説明した。そのために、添付図面及び詳細な説明を提供した。
【００７９】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本開示における技術を例示するためのものであるから、特許請求の範囲又はその均等の範囲において種々の変更、置き換え、付加、省略などを行うことができる。
【産業上の利用可能性】
【００８１】
本開示の画像表示装置は、例えばスタンド型の液晶テレビジョン受像機等に適用可能である。
【符号の説明】
【００８２】
２，２００  画像表示装置
４  設置面
６，２０２  装置本体
８，８Ａ，２０４  スタンド
１０  表示ユニット
１２  ベゼル
１４  ベースプレート
１６，２２０  バックカバー
１８  表示パネル
２０  バックライト
２２  表示面
２４  底面
２６  凹部
２８，２８Ａ，２０６  取付部材
２９，２９Ａ，８６  本体部
３０，３０Ａ，３２，３２Ａ，３４，３４Ａ，３５，８８，９０  折り曲げ部
３６，３６Ａ，３８，３８Ａ，４０，４０Ａ  取付片
４２，７０，７６，２１６，２１８  ネジ
４４，４６，４８，５４，５４Ａ，９２，１００，２２４  貫通孔
５０，１０４  板バネ
５２  第１の突部
５６，５８  切り欠き部
６０，６０Ａ  スタンド本体
６２  補強部材
６４，６４Ａ，２０８  ベース部
６６，６６Ａ，２１０  支柱部
６８  固定部
７２，７８  ネジ孔
７４  側面
８０，８０Ａ，９６，９８，１１８  突起
８２  第１の補強部
８４  第２の補強部
９４  第２の突部
１０２  孔部
１０６  レバー部材
１０６ａ  下端部
１０６ｂ  上端部
１０８  付勢部材
１１０  開口部
１１２，１１４，１１６  側壁部
１２０  軸部
１２２  突部
２１２  第１の取付部
２１４  第２の取付部
２２２  カバー部材
【図１】
2019120709.tif 000003
【図２】
2019120709.tif 000004
【図３】
2019120709.tif 000005
【図４】
2019120709.tif 000006
【図５】
2019120709.tif 000007
【図６】
2019120709.tif 000008
【図７】
2019120709.tif 000009
【図８】
2019120709.tif 000010
【図９】
2019120709.tif 000011
【図１０】
2019120709.tif 000012
【図１１】
2019120709.tif 000013
【図１２】
2019120709.tif 000014
【図１３】
2019120709.tif 000015
【図１４】
2019120709.tif 000016